(57)【特許請求の範囲】
【請求項１】
根菜体を載置して水平方向に搬送する搬送コンベアと、該搬送コンベアの一側に備えられ搬送コンベア搬送方向と直行する方向に回転軸を有した根菜の茎葉部あるいは根菜の頭部を切断するカッターとで構成された切断装置であって、
前記搬送コンベアには一側部に搬送コンベアと共に移動して根菜体の茎葉部を移動させるガイド爪が設けられ、カッター部にはカッターの側部に備えられ平行状に昇降揺動可能なリンクにより保持されたカバー体と、該カバー体の前方位置で根菜体搬送方向の左右位置がカッターと一致する位置にカバー体の昇降揺動作動リンクと連動する補助棒を設け、該補助棒は搬送される根菜体にカバー体より先行して当接するように設けてなり、前記カバー体を昇降揺動させるリンクにはカバー体を浮上させる方向に弾性体を掛け渡し浮上力を調圧可能としたことを特徴とした茎葉等切断装置。
【発明の詳細な説明】
【０００１】
【発明の属する技術分野】
本発明は、例えば大根、ニンジン等の根菜に関する茎葉等切断装置の構成に係るものである。
【０００２】
【従来の技術】
収穫物である根菜、例えば大根等の茎葉部等の切断をする収穫補助機として特開平１１−５９２５８号が知られ「圃場で引き抜かれた収穫物を搬送する搬送コンベアと、搬送コンベアの一側に搬送コンベアで搬送中の収穫物の茎葉部を切断するカッターを備えた収穫補助機において、カッターの側方に搬送される収穫物により押し上げられ、収穫物の茎葉部はカッターの側方を保護するように下降する可動の安全フレーム手段を設けたことを特徴とする収穫補助機」の構成について開示されている。
【０００３】
【発明が解決しようとする課題】
上記収穫補助機の可動カバー体及びチェーンカバーの構成では、カバー体の自重によって根菜の茎葉や根菜体の接触部に傷が付いたり、カバー体を押し上げる反力によって搬送コンベアの駆動負荷が大きくなる問題があった。
【０００４】
【課題を解決するための手段】
上記課題を解決するために、根菜体を載置して水平方向に搬送する搬送コンベアと、該搬送コンベアの一側に備えられ搬送コンベア搬送方向と直行する方向に回転軸を有した根菜の茎葉部あるいは根菜の頭部を切断するカッターとで構成された切断装置であって、
前記搬送コンベアには一側部に搬送コンベアと共に移動して根菜体の茎葉部を移動させるガイド爪が設けられ、カッター部にはカッターの側部に備えられ平行状に昇降揺動可能なリンクにより保持されたカバー体と、該カバー体の前方位置で根菜体搬送方向の左右位置がカッターと一致する位置にカバー体の昇降揺動作動リンクと連動する補助棒を設け、該補助棒は搬送される根菜体にカバー体より先行して当接するように設けてなり、前記カバー体を昇降揺動させるリンクにはカバー体を浮上させる方向に弾性体を掛け渡し浮上力を調圧可能としたことを特徴とした茎葉等切断装置を提供したものである。
【０００５】
【作用】
上記の根菜の茎葉等切断装置のカバー体は平行状に昇降可能であるとともに、カバー体を浮動させる方向に弾性体によって支承させた構成なので、搬送コンベアで搬送されている根菜体にカバー体の先端が当接した時に、カバー体は軽い力で浮上する。従って、根菜がカッター部付近を通過する時点だけカッターが上昇し、それ以外は常にしゃ閉されるので安全である。しかもカバー体は軽い力で浮上するので根菜体に傷がつくことも少なく、コンベアの反力も小さい。又、カバー体の前方でカッターに近接させた位置に補助棒を連動させたので、根菜体の頭部付近にカバー体が接触する時に発生する初期抵抗によって根菜体が振られて傾斜し、茎葉等が斜め切断される現象を少なくする。
【０００６】
【実施例】
本発明を実施した図面に基づいて構成を説明する。
【０００７】
図１は本発明を実施して掘り取り機に組み付けた側面図、図２は同じく後面図、図３は本発明の右側面図、図４は本発明の左側面図、図５はカバー体が押し上げられた作用図、図６は茎葉等切断装置の後面視の要部断面図、および図７は茎葉等切断装置の要部の一部を断面とした平面図を示したものである。
【０００８】
図１は走行部４の前方にチゼル３を有した掘り取り部２を配設した掘り取り機１の後部荷台１３に対して、茎葉等切断装置６を搭載した側面図である。５はクレーンで、収穫した根菜を収納したコンテナ等を積み降しをする。
【０００９】
茎葉切断装置６は、前方に搬送コンベア７を駆動させる駆動モーターを内装した第２ケース１０を設け、中位にカッタケース８、およびカッターを駆動する第１ケース９を設けている。１２はガイド爪で根菜の茎葉部を移動させる。
【００１０】
１１はシューターを示し、根菜の切断された茎葉を圃場面へ案内する。
【００１１】
図２において、一側面に６の茎葉等切断装置を配置したものである。荷台中央部に作業者が位置して、根菜体３６が搬送コンベア７によって搬送され、茎葉等がカバー体１５にカバーされながらカッター２７によって切断される。１６は第１モーターで第１ケース９内の伝動帯を介してカッター２７を駆動する。１７は搬送コンベア７等の支柱を示す。
【００１２】
図３において、サイド板２３内に掛け渡された搬送コンベア７とガイド爪１２は矢印ｆへ移送する。第２モーター２２は搬送コンベア７を駆動する。８のカッタケース、安全枠１４及び第１ケースは切断部を形成して枠体を兼用する。安全枠１４に対して、カバー体１５は第１リンク１８、連結ロッド２０及び第２リンク１９を介して平行状に浮動する。２４は引っ張りバネによる弾性体を示し、連結ロッド２０を引っ張り、連結ロッド２０は第１リンク１８を引っ張ってカバー体１５を上昇させる方向に調圧している。補助棒２５は第２リンク１９と連動する。油圧ポンプ２１は、第１モーター１６、第２モーター２２、第３ケース３７内の第３モーターを駆動する。
【００１３】
図４は本発明の左側面図を示したものである。３７は第３ケースを示し、内部の第３モーターがガイド爪１２を移送する移送チェーン２６を駆動する。
【００１４】
図５はカバー体１５が根菜体３６によって押し上げられた状態である。根菜体３６は本体が搬送コンベア７に載置され、茎葉部は搬送チェーン２６のガイド爪１２間に挾持されて移動する。根菜体３６の上部が補助棒２５に接触して軽く押し上げると、補助棒２５に固着され一体である第２リンク１９によって連結ロッド２０が引っ張られ、これに連結された側面視同形状の第１リンク１８が補助棒２５と同方向に回動して、カバー体１５を平行状に上昇させる。
【００１５】
図６は茎葉等切断装置６の後面視の要部断面図を示し、第１モーター１６が回転するとカッター２７が回転する。３６は根葉体を示し、本実施例では大根の茎葉を長さ１０ｃｍ前後に切断する場合を示している。漬物加工等においては茎葉部を完全に切除するものもある。又、一部大根の頭部を切断する場合は大根の頭部をカッター２７まで移動させて位置させるとよい。
【００１６】
図７は根菜体３６に対するカバー体１５、カッター２７、移送チェーン２６等の相対関係を示している。又、第２リンク１９の回動支点部は支持ボス２８が固着され、支持ボス２８は安全枠１４側に固着された支点ボルト２９に対して回動自在である。２５の補助棒は支持ボス２８に固着され、カッター２７と移動する軌跡が一致するように設けられている。従って、補助棒２５は移送される根菜体３６の切断する位置と一致する。
【００１７】
【発明の効果】
以上のようにカッター周囲を被覆保護するカバー体を揺動自在にして、被切断物である根菜体によって押し上げて上昇させる構成にしたにも係らず、根菜体に軽いタッチで浮上して、根菜に傷つけることもない。又、カバー体による反力による搬送コンベアへの負荷の上昇はない。
【図面の簡単な説明】
【図１】本発明を実施して掘り取り機に組み付けた側面図。
【図２】本発明を実施して掘り取り機に組み付けた後面図。
【図３】本発明の右側面図。
【図４】本発明の左側面図。
【図５】カバー体が押し上げられた作用図。
【図６】茎葉等切断装置の後面視の要部断面図。
【図７】茎葉等切断装置の要部の一部を断面とした平面図。
【符号の説明】
１  掘り取り機
２  掘り取り部
３  チゼル
４  走行部
５  クレーン
６  茎葉等切断装置
７  搬送コンベア
８  カッタケース
９  第１ケース
１０  第２ケース
１１  シューター
１２  ガイド爪
１３  荷台
１４  安全枠
１５  カバー体
１６  第１モーター
１７  支柱
１８  第１リンク
１９  第２リンク
２０  連結ロッド
２１  油圧ポンプ
２２  第２モーター
２３  サイド板
２４  弾性体
２５  補助棒
２６  移送チェーン
２７  カッター
２８  支持ボス
２９  支点ボルト
３０  第１ピン
３１  第２ピン
３２  支軸
３３  第３ピン
３４  第４ピン
３５  伝動帯
３６  根菜体
３７  第３ケース
【図１】
0004521623.tif 000002
【図２】
0004521623.tif 000003
【図３】
0004521623.tif 000004
【図４】
0004521623.tif 000005
【図５】
0004521623.tif 000006
【図６】
0004521623.tif 000007
【図７】
0004521623.tif 000008